【手続補正書】
【提出日】平成18年9月1日(2006.9.1)
【手続補正１】
【補正対象書類名】特許請求の範囲
【補正対象項目名】全文
【補正方法】変更
【補正の内容】
【特許請求の範囲】
【請求項１】
内部に複数の部品が配置された原子炉圧力容器の容積内の放射線束の三次元空間分布をシミュレートする方法（８０）であって、
前記容積及び該容積内に収められた前記複数の部品についての物理的幾何学データを含む入力データの第１ライブラリを準備する工程（８２）と、
前記容積及び該容積内に収められた前記複数の部品についての材料の放射線反応データを含む入力データの第２ライブラリを準備する工程（８４）と、
前記入力データの第１ライブラリと前記入力データの第２ライブラリとを用いて、前記容積内の或る高さにおける水平面内の放射線束を計算する工程（８６）と、
前記入力データの第１ライブラリと前記入力データの第２ライブラリとを用いて、前記放射線束の相対的な変動を前記容積内の軸方向高さの関数として計算する工程（８８）と、
計算された放射線束の相対的な軸方向の変動の結果を前記水平面内の放射線束の結果と組み合わせる工程（９０）と、
前記組み合わせる工程が、
ｚ´を容積の中間平面における高さ若しくは容積内の所定位置高さとした場合において、φ（ｒ，θ）ｚ’を、該高さｚ´におけるデータによりモデル化される（ｒ，θ）平面における二次元離散型座標輸送計算の結果とし、
θ´を最大炉心半径若しくは所定の方位角に対応させた場合に、φ（ｒ，ｚ）θ’を、方位角θ´において容積をシミュレートする（ｒ，ｚ）平面における束の二次元離散型座標輸送計算の結果とし、
半径ｒ及び高さｚ´をφ（ｒ，ｚ´）θ’の計算の高さに対応させた場合において、φ（ｒ，ｚ´）θ’を、半径ｒ及び高さｚ´における二次元離散型座標輸送放射線束の解の結果としたとき、
φ（ｒ，θ，ｚ）＝φ（ｒ，θ）ｚ’*［φ（ｒ，ｚ）θ’／（ｒ，ｚ´）θ’］
である式を用いて点（ｒ，θ，ｚ）での束φを定める工程、
を含むことを特徴とする方法。
【請求項２】
前記入力データの第１ライブラリを準備する工程は、原子炉圧力容器内の幾何学的境界領域をシミュレートする計算モデルの物理的幾何学形状のライブラリを準備する工程を含むことを特徴とする請求項１に記載の方法。
【請求項３】
前記入力データの第１ライブラリを準備する（８４）工程は、各領域における組成が均質化混合物として取り扱われるところの前記計算モデルの材料の原子核濃度データを含むことを特徴とする請求項２に記載の方法（８０）。
【請求項４】
入力データの前記第２のライブラリを準備する工程は、非等方散乱断面積を近似する巨視的な混合断面積を生成するために設定された微視的断面積と共に、冷却水と材料の組成についての核種原子核濃度を含むライブラリを準備する工程を含むことを特徴とする請求項１に記載の方法（８０）。
【請求項５】
前記計算された放射線束の相対的変動の結果を水平面内の放射線束の結果と組み合わせる（９０）工程が更に、
軸方向調整係数を前記放射線束の相対的変動の結果から求める工程と、
前記軸方向調整係数を前記水平面内の放射線束の結果に適用する工程、
を含む請求項１に記載の方法（８０）。
【請求項６】
内部に複数の部品を備える原子炉圧力容器（ＲＰＶ）（１０）の内部の中性子粒子束の三次元空間分布をシミュレートする方法（８０）であって、
前記ＲＰＶ及び該ＲＰＶ内に収められた前記複数の部品についての物理的幾何学的データを含む入力データの第１ライブラリを準備する工程（８２）と、
前記ＲＰＶ及び該ＲＰＶ内に収められた前記複数の部品についての材料の中性子反応データを含む入力データの第２ライブラリを準備する工程（８４）と、
前記入力データの第１ライブラリと前記入力データの第２ライブラリとを用いて、前記ＲＰＶ内の或る高さにおける水平面内の中性子粒子束を計算する工程（８６）と、
前記入力データの第１ライブラリと前記入力データの第２ライブラリとを用いて、前記中性子粒子束の相対的な変動を前記ＲＰＶ内の軸方向の高さの関数として計算する工程（８８）と、
計算された中性子粒子束の相対的な軸方向の変動の結果を水平面内の中性子粒子束の結果と組み合わせる（９０）工程と、
を具備するシミュレーション方法（８０）であって、
前記の組み合わせ工程は、
ｚ´を容積の中間平面における高さ若しくは容積内の所定位置高さとした場合において、φ（ｒ，θ）ｚ’を、該高さｚ´におけるデータによりモデル化される（ｒ，θ）平面における二次元離散型座標輸送計算の結果とし、
θ´を最大炉心半径若しくは所定の方位角に対応させた場合に、φ（ｒ，ｚ）θ’を、方位角θ´において容積をシミュレートする（ｒ，ｚ）平面における束の二次元離散型座標輸送計算の結果とし、
半径ｒ及び高さｚ´をφ（ｒ，ｚ´）θ’の計算の高さに対応させた場合において、φ（ｒ，ｚ´）θ’を、半径ｒ及び高さｚ´における二次元離散型座標輸送放射線束の解の結果としたとき、
φ（ｒ，θ，ｚ）＝φ（ｒ，θ）ｚ’*［φ（ｒ，ｚ）θ’／（ｒ，ｚ´）θ’］
である式を用いて点（ｒ，θ，ｚ）での束φを定める工程、
を含むことを特徴とする方法。
を用いることにより、点（ｒ、θ、ｚ）での束φを定める、
【請求項７】
前記入力データの第１ライブラリを準備する工程は、原子炉圧力容器内の幾何学的境界領域をシミュレートする計算モデルの物理的幾何学形状のライブラリを準備する工程を含むことを特徴とする請求項６に記載の方法（８０）。
【請求項８】
前記入力データの第１ライブラリを準備する（８４）工程は、各領域における組成が均質化混合物として取り扱われるところの前記計算モデルの材料の原子核濃度データを含むことを特徴とする請求項７に記載の方法（８０）。
【請求項９】
入力データの前記第２のライブラリを準備する工程は、非等方散乱断面積を近似する巨視的な混合断面積を生成するために設定された微視的断面積と共に、冷却水と材料の組成についての核種原子核濃度を含むライブラリを準備する工程を含むことを特徴とする請求項６に記載の方法（８０）。
【請求項１０】
前記計算された中性子粒子束の相対的変動の結果を水平面内の中性子粒子束の結果と組み合わせる（９０）工程が更に、
軸方向調整係数を前記中性子粒子束の相対的変動の結果から求め、
前記軸方向の調整係数を前記水平面内の中性子粒子束の結果に適用する、
ことを含む請求項１に記載の方法（８０）。
【手続補正２】
【補正対象書類名】明細書
【補正対象項目名】０００３
【補正方法】変更
【補正の内容】
【０００３】
原子炉の炉心は、方形断面を有する燃料集合体の列を含む。燃料集合体は、燃料支持体により下方から支持される。各燃料支持体は、４つの燃料集合体からなる一群を支持する。炉心に生成される熱は、制御棒を炉心に挿入することにより低下させることができ、この生成された熱は、制御棒を炉心から引き出すことにより増大させることができる。幾つかのＢＷＲにおいて、制御棒は、４つの燃料集合体からなる群の間に挿入することができるブレードをもつ十字断面積を有する。
【特許文献１】米国特許６３４１２７１
【特許文献２】米国特許６３３９６２９
【特許文献３】米国特許６２３６６９８
【特許文献４】米国特許４９７５２３９
【特許文献５】米国特許４７７４０４９
【特許文献６】米国特許４７１１７５３
【非特許文献１】Annual report 2001 Institute of Safety Research; Forschngszentrum Rossendorf; pp. 1-162; 6/2002
【非特許文献２】Bohmer Et. Al.; Verification of neutron transport calculations for nonstandard pressure vessel surveillance positions in the VVFER-1000 Novovoronezh-5; Institute of Safety Research, Annual Report 2000; pp. 99-104